(57)【特許請求の範囲】
【請求項１】
フレーム手段の上端近傍に取っ手部を有し該フレーム手段の下端近傍に２個の車輪を設け該フレーム手段の一方の側に収納手段を設けたショッピングカートにおいて、前記フレーム手段の他方の側の上部に  カゴの支持が可能な支持位置とカゴの支持が不可能な不支持位置とに設定できる支持手段を設け、前記フレーム部材の他方の側の下部に配置して前記ショッピングカートの転倒を困難とする第１位置若しくは転倒を容易とする第２位置に移動可能なスタンド手段を設け、走行時に前記取っ手部を前記一方の側へ移動させて該フレーム手段を傾けた第１の牽引モードと前記取っ手部を前記他方の側へ移動させて該フレーム手段を傾けた第２の牽引モードとを有することを特徴とするショッピングカート。
【請求項２】
前記支持手段が支持位置にある場合は前記スタンド手段を前記ショッピングカートの転倒が困難な第１位置に配置させ前記支持手段が不支持位置にある場合は前記スタンド手段を前記ショッピングカートの転倒が容易な第２位置に配置させるために前記支持手段の移動で前記スタンド手段を連動して移動させる連動手段を設けたことを特徴とする特許請求の範囲第１項記載のショッピングカート。
【請求項３】
前記支持手段は突起部材が固定された複数の可変支持部材を所定方向へ移動自在に保持し、該突起部材の複数がカゴの底面に設けた複数の孔部をそれぞれ貫通する構成としたことを特徴とする特許請求の範囲第１項記載のショッピングカート。
【請求項４】
前記支持手段はカゴを支持する面積を変化させる可変支持部材を移動自在に支持し、該可変支持手段には該カゴの底面にある孔部を貫通する凸状の突起部材を設け、前記可変支持部材の移動動作で前記突起部材の位置が移動することを特徴とする特許請求の範囲第１項記載のショッピングカート。
【請求項５】
フレーム手段の上端近傍に取っ手部を有し該フレーム手段の下端近傍に２個の車輪を設け前記フレーム手段の一方の側に収納手段を設けたショッピングカートにおいて、前記フレーム部材の他方の側の上部にカゴの支持が可能な支持位置とカゴの支持が不可能な不支持位置とに設定できる支持手段を設け、買物中にショッピングカートを牽引走行させる第１モードと、買物後に該ショッピングカートを牽引走行させる第２モードとに関して、前記第１モードでフレーム手段がその上端近傍で前記収納手段に向かう傾斜を成して前記他方の側を略上面として牽引走行させ、前記第２モードで該フレーム手段がその上端近傍で前記支持手段に向かう傾斜を成して前記一方の側を略上面として牽引走行させる構成としたことを特徴とするショッピングカート。
【請求項６】
前記収納手段は透明若しくは半透明な構成としたことを特徴とする特許請求の範囲第５項記載のショッピングカート。
【発明の詳細な説明】
【技術分野】
【０００１】  本発明は、買い物の行き帰りと買い物中の何れにも使用できて、しかも軽くて機敏な走行で移動できるように図ったショッピングカートに関する。
【背景技術】
【０００２】  近所のスーパーマーケット等で大量の品物や飲料水等の重量物を買い、それを自宅に持ち帰る場合にはショッピングカートを使うと品物が楽に運搬できて便利である。【０００３】  以下、図８、図９により従来のショッピングカートについて説明する。図８は店内３５における買い物カゴ５１ａ，カゴ位置５１〜５４の動きを説明する平面図であり、図９は従来のショッピングカート３８を示す側面図である。説明の都合上、まず図９に示した従来のショッピングカートから説明を始める。【０００４】  図９に示す符号３９はフレーム手段であって、フレーム手段３９の上端近傍に取っ手部４０、握り部材４１を有し、フレーム手段３９の下端近傍に２個の車輪４２（他の１個は車輪４２の向こう側にあるため不図示である）を設け、フレーム手段３９の一方の側（図の左側）に収納手段４５を設けたショッピングカート３８を図示している。【０００５】  収納手段４５は、その背面で固定ベルト４６、４７を用いてフレーム手段３９に固定されており、その底面はスタンド手段４４の上に載置されている。なお、スタンド手段４４はフレーム手段３９の下部に設けたブラケット部材４３で図示の如く固定している。このため、車輪４２とスタンド手段４４とにより、ショッピングカート３８は地面２５上に安定に直立している。【０００６】  このショッピングカート３８を移動させる場合は、フレーム手段３９を二点鎖線４９の位置まで傾けて矢印５０の方向に牽引すると、車輪４２が従動回転しながら移動できる。以上で説明した従来のショッピングカート３８を使用して、図８に示した店内３５で買い物をする事を想定する。【０００７】  図８においては、まず出入口３５ａから店内３５に入るが、この時、ショピングカート３８を例えば左手で引いて入ると仮定して、今度は店内に備え付けてあるカゴ（例えばカゴ５１ａ）を右手で持つことになるから、これでは両手が塞がるので商品をカゴの中に入れる買い物の動作が困難になってしまう。【０００８】  そのためにショッピングカートを持参した人は、ショッピングカート３８を店外の出入口付近に置かざるを得なくなり、多数の人が同様に考えて行動するから店舗の出入口付近はショッピングカート３８，３８ａ，３８ｂ，３８ｃなどが置かれて他の買い物客の通行の邪魔になる。【０００９】  一方、店内３５で買い物をしている間、ショッピングカート３８，３８ａ，３８ｂ，３８ｃの持ち主は、自分のショッピングカートが盗まれるのではないかと心配なので、安心して買い物に専念することができない。そして、現実に多くのショッピングカートが盗難にあっている。【００１０】  次に、店内３５で買うべき商品をカゴの中に入れて、カゴ位置５１からカゴ位置５２に移し、カウンタ３６でレジスタ係の店員に精算して貰う。ここで、買った品物を自宅まで持ち帰るためのポリエチレン袋（以下は単に「ポリ袋」と記す）が必要かどうかを店員に尋ねられる。最近はこのポリ袋が使用後にゴミになることが問題視されており、ゴミの量を削減するための環境対策としてポリ袋を有料にしている店が多い。店舗により金額は多様であるが１円或いは数円のお金を払ってポリ袋を買うことになる。【００１１】  精算が済むと、カゴを包装台���７の上に置き、買った品物をカゴ位置５３で取り出してポリ袋の中に入れ替える事になり、空になったカゴはカゴ位置５４に返却する。そして、ポリ袋５５の中に入れた品物は出入口３５ａを通って自分のショッピングカート３８の中に入れる。つまり、図９に示す収納手段４５の蓋部４８を開いて買った品物を収納する。しかる後にショッピングカート３８を牽引走行させて帰宅することになる。【００１２】  このように、図８に示すカゴ位置５３から自分のショッピングカート３８の位置まで、短距離ではあるが買った品物を運ぶために有料のポリ袋を買わざるを得ない。これは不経済であると共に、新たなゴミを発生させる原因にもなっている。
【特許文献】特許文献１：特開２００３−８１０９４号公報（第１−２頁）  特許文献２：特開２００１−６３５８３号公報（第１−２頁）  特許文献３：特開平７−１４９２３８号公報（第１−２頁）  特許文献４：特開平１１−２１７０７６号公報（第１−３頁、図１−５）
【００１３】  上記特許文献１は２輪のショッピングカートであり、折り畳み構造に特徴がある。しかし店舗内での使用は考慮していない。上記特許文献２は２輪のショッピングカートであり、収納袋の構造に特徴がある。これも店舗内での使用を考慮していない。特許文献３は４輪のショッピングカートであり、精算時の利便を図るものである。店舗内でのみ使用に供されるものである。特許文献４は４輪若しくはそれ以上の車輪を有するのショッピングカーであり、店舗の内外で使用できるものの大型で重くなり、かつ高価になる。そして手押し式であるために動きが遅くなり、軽快に手早く買い物を済ませることが難しい。
【発明の開示】
【発明が解決しようとする課題】
【００１４】  以上に述べたように、図９で示した従来のショッピングカート３８を図８で示した店内３５で使用すると、以下に示す第１の課題がある。つまり、
（ａ）ショッピングカートの店内への持ち込みは両手が塞がるので買い物が困難になり、
（ｂ）店外に置くとショッピングカートが盗まれる恐れがあり、
（ｃ）ショッピングカートの盗難が心配で買い物に専念できなくなり、
（ｄ）店外に置かれたショピングカートが他の客の通行を妨害し、
（ｅ）ポリ袋を買わざるを得ないから不経済になり、
（ｆ）ポリ袋の購入が新たなゴミを発生させる原因になる。
等の課題を有していた。【００１５】  一方、特開平１１−２１７０７６号公報（以下は特許文献４と記す）に開示されたショッピングカーのように、店内における精算前の商品の運搬時、および精算後の品物の運搬時を通して連続的な使用ができるものがある。この点では前記（ａ）〜（ｆ）の内容から成る第１の課題を克服している。【００１６】  しかし前記特許文献４に開示されたショッピングカーの構成を見ると４輪若しくはそれ以上の車輪を用いる構造であって、このように車輪の数が多いと以下に説明する第２の課題がある。つまり、
（ｇ）４輪若しくはそれ以上の車輪を用いるものはショッピングカー自体が大型で重くなり、機構が複雑になるので価格が高価になり、
（ｈ）大きくて重いショッピングカーで品物を運搬することになるから動きが遅くなり、
（ｉ）店内の折れ曲がった狭い通路内を手押し式で移動する場合は急旋回が困難で、そのため買い物に長時間を要する事になり、
（ｊ）買い物を早く済ませたい比較的若い年代の買い物客は、店内で軽快かつ機敏に移動できて買い物を迅速に済ませる事が出来る構造の、新規でかつ使い易いショッピングカートの出現を待ち望んでいる。【００１７】  本発明は、従来のショッピングカートが有する上述の第１の課題と第２の課題とを一挙に解決しようとするものであり、買い物の行き帰りと買い物中において常時使用できるのは勿論のこと、店内で軽快かつ機敏に移動できて買い物を迅速に済ませる事が出来る構造の、新規でかつ使い易いショッピングカートを実現することを目的とするものである。
【課題を解決するための手段】
【００１８】  そして、本発明は上記目的を達成するために下記の構成を採用したものである。まず、請求項１においては次の通りである。
フレーム手段の上端近傍に取っ手部を有し該フレーム手段の下端近傍に２個の車輪を設け該フレーム手段の一方の側に収納手段を設けたショッピングカートにおいて、前記フレーム手段の他方の側の上部に  カゴの支持が可能な支持位置とカゴの支持が不可能な不支持位置とに設定できる支持手段を設け、前記フレーム部材の他方の側の下部に配置して前記ショッピングカートの転倒を困難とする第１位置若しくは転倒を容易とする第２位置に移動可能なスタンド手段を設け、走行時に前記取っ手部を前記一方の側へ移動させて該フレーム手段を傾けた第１の牽引モードと前記取っ手部を前記他方の側へ移動させて該フレーム手段を傾けた第２の牽引モードとを有することを特徴とするショッピングカート。【００１９】  次に、請求項２においては次の通りである。
前記支持手段が支持位置にある場合は前記スタンド手段を前記ショッピングカートの転倒が困難な第１位置に配置させ前記支持手段が不支持位置にある場合は前記スタンド手段を前記ショッピングカートの転倒が容易な第２位置に配置させるために前記支持手段の移動で前記スタンド手段を連動して移動させる連動手段を設けたことを特徴とする特許請求の範囲第１項記載のショッピングカート。【００２０】  次に、請求項３においては次の通りである。
前記支持手段は突起部材が固定された複数の可変支持部材を所定方向へ移動自在に保持し、該突起部材の複数がカゴの底面に設けた複数の孔部をそれぞれ貫通する構成としたことを特徴とする特許請求の範囲第１項記載のショッピングカート。【００２１】  次に請求項４においては次の通りである。
前記支持手段はカゴを支持する面積を変化させる可変支持部材を移動自在に支持し、該可変支持手段には該カゴの底面にある孔部を貫通する凸状の突起部材を設け、前記可変支持部材の移動動作で前記突起部材の位置が移動することを特徴とする特許請求の範囲第１項記載のショッピングカート。【００２２】  次に、請求項５においては次の通りである。
フレーム手段の上端近傍に取っ手部を有し該フレーム手段の下端近傍に２個の車輪を設け前記フレーム手段の一方の側に収納手段を設けたショッピングカートにおいて、前記フレーム部材の他方の側の上部にカゴの支持が可能な支持位置とカゴの支持が不可能な不支持位置とに設定できる支持手段を設け、買物中にショッピングカートを牽引走行させる第１モードと、買物後に該ショッピングカートを牽引走行させる第２モードとに関して、前記第１モードでフレーム手段がその上端近傍で前記収納手段に向かう傾斜を成して前記他方の側を略上面として牽引走行させ、前記第２モードで該フレーム手段がその上端近傍で前記支持手段に向かう傾斜を成して前記一方の側を略上面として牽引走行させる構成としたことを特徴とするショッピングカート。【００２３】  更に、請求項６においては次の通りである。
前記収納手段は透明若しくは半透明な構成としたことを特徴とする特許請求の範囲第５項記載のショッピングカート。【００２４】  次に、前述した請求項１〜６について図１〜７で示した実施形態に基づき詳細に説明する。なお図１〜７において同一の部材に対しては同一の符号を付してある。【００２５】  まず、本発明のショッピングカートに係わる図面全体の概略を説明する。
図１は本発明の実施形態を示す買い物中のショッピングカートを示す側面図であり、
図２は同ショッピングカートでフレーム手段の一部を示す部分的な外観斜視図であり、
図３は同ショッピングカートを収納手段側から見た正面図であり、
図４は同ショッピングカートの買い物後の状態における側面図であり、
図５は同ショッピングカートで使用するカゴの平面図であり、
図６は同ショッピングカートで支持手段の第一実施例を示す要部の平面図であり、
図７は同ショッピングカートで支持手段の第二実施例を示す要部の平面図である。【００２６】  まず、請求項１記載のショッピングカートについて説明を行なう。
図１において、符号１はフレーム手段であって、通常はパイプ状の鉄材、若しくはアルミ材、若しくはプラスチック材を逆Ｕ字形状（図３参照）に曲げて用いる。このフレーム手段１で図の上端近傍に取っ手部１ａを有し、その取っ手部１ａには必要に応じて握り部材１ｂを設ける事により、握り易くする。【００２７】  符号２は車輪であって、フレーム手段１の下端近傍には図２及び図３に示す２個の車輪２，２ａを車軸２９に対して回転自在に設ける。【００２８】  符号３は収納手段であって、図１に示すフレーム手段１の一方の側、つまりフレーム手段１よりも図の左側に設け、その上部に蓋部３ｃが形成された袋である。この袋の材料は一般的には布製のものが広く用いられており、本発明でも布を用いて差し支えない。しかし、後述するような店舗側の立場に配慮すれば、透明若しくは半透明な材料或いは構造を採用することができる。この点については、後に説明を加える。（請求項６参照）。【００２９】  符号６は支持手段であって、支持手段６はフレーム手段１の他方の側、つまりフレーム手段１よりも図の右側に設け、図の上部に二点鎖線で示す位置でカゴ５の支持を可能とする。そして図１に示す支持手段６の状態を支持位置とする。カゴは買い物をする店内に備え付けられた物を用いる。これに対してカゴ５の支持が不可能な状態は図４に示し、図４に示す支持手段６の状態を不支持位置とする。このように支持手段６はフレーム手段１に設けられた軸部２３を中心として揺動自在に軸支されている。【００３０】  符号７はスタンド手段であって、フレーム手段１の他方の側（図１でフレーム手段１より右側）の下部に配置して、スタンド手段７が第１位置つまり図１に示す状態、若しくは第２位置つまり図４に示す状態とに移動する事が可能である。【００３１】  次に、請求項１及び請求項２記載のショッピングカートについて説明を行なう。
図１の状態では支持手段６が前述の支持位置にあると共に、スタンド手段７はショッピングカート４を転倒が困難な第１位置に配置させている。一方、図４の状態では支持手段６が前述の不支持位置にあると共に、スタンド手段７はショッピングカート４を転倒が容易な第２位置に配置させている。【００３２】  符号８は連動手段であって、連動手段８は軸部１８，１２を介して図１〜４で示したようにスタンドフレーム部材１４と支持リンク部材１９との間で揺動自在に連結している。そのために、支持リンク部材１９の移動をスタンドフレーム部材１４に伝えて連動させる構成である。【００３３】  次に、請求項３記載のショッピングカートについて説明を行なう。
符号９及び図７に示す符号９ａは凸状の突起部材であって、突起部材９、９ａはカゴ５の底面５ａにある孔部５ｂ及び図７に示す孔部５ｃを貫通している。これにより、カゴ５が支持手段６から滑り落ちることを防止している。【００３４】  次に、請求項３及び請求項４記載のショッピングカートについて説明を行なう。
符号１０は可変支持部材であって、図１に示す可変支持部材１０（側面）は図の手前方向に移動できる構成である。図７に示す複数の可変支持部材１０，１０ａ（平面）は、パイプ構造の支持パイプ３１，３２の中に挿入されていて、図７の左右方向（所定方向）に移動できる構成である。そして、可変支持部材１０又，１０ａの少なくとも一方が移動する事によって、載置した不図示のカゴを支持する面積を変化させることができる。【００３５】  図７で、カゴの底面にある孔部５ｂ，５ｃを貫通する凸状の突起部材９，９ａが可変支持部材１０，１０ａに突設されていて、可変支持部材１０，１０ａの左右方向の移動動作で突起部材９，９ａの位置も図の左右に移動する。これにより多種類の大きさのカゴに対して滑り落ち防止の効果がある。他の実施形態もあるが、それについては後述する。【００３６】  次に、請求項１及び請求項５記載のショッピングカートについて説明を行なう。
支持手段６が支持位置にあって第１モード（買い物中）である図１の状態と、支持手段６が不支持位置にあって第２モード（買い物後）である図４の状態とを比較して本発明のショッピングカートを説明する。【００３７】  フレーム手段１の上端近傍に取っ手部１ａを有し該フレーム手段１の下端近傍に２個の車輪２及び２ａ（図２と図３参照）を設け、フレーム手段１の一方の側（図１の左側）に収納手段３を設けたショッピングカートは、請求項１及び請求項５において以下の構成を有する。【００３８】  フレーム手段１の他方の側（図１の右側）の上部に図１で示すようなカゴ５の支持が可能な支持位置と、図４で示すようなカゴ５の支持が不可能な不支持位置とに設定できる支持手段６を設ける。買物中にショッピングカート４を牽引走行させる第１モードは図１に示す状態である。また、買物後で該ショッピングカート４を牽引走行させる第２モードは図４に示す状態である。【００３９】  このような第１モードと第２モードとに関して、前記第１モードでは図１で示す二点鎖線２８の様に傾けた状態であって、フレーム手段１の前記他方の側（図１の右側）が略上面として牽引走行される。前記第２モードでは図４で示す二点鎖線２８ａの様に傾けた状態であって、フレーム手段１の前記一方の側（図４の左側）が略上面として牽引走行される。【００４０】  次に、請求項６記載のショッピングカートについて説明を行なう。
ショッピングカート４に設ける収納手段３を、不透明な物ではなくて透明若しくは半透明な物で構成する。その理由は、本発明のショッピングカート４が店内に持ち込んで使用されるためである。店舗側は商品が万引きされることを恐れるので、ショッピングカート４の収納手段３は不透明であるよりも透明若しくは半透明である方が受け入れ易い。従って、透明若しくは半透明の収納手段３を有するショッピングカート４は、店内での使用が認められて、本来の使用目的を達成することができる。
【発明の効果】
【００４１】  前述の図１〜図７に示した本発明のショッピングカートを使用すると、前記第１の課題に対して以下の効果を生ずる。つまり、
（Ａ）店内に持ち込んでも両手が塞がらないので買い物が容易になり、
（Ｂ）ショッピングカートが盗まれる恐れがなく、
（Ｃ）買い物に専念できるようになり、
（Ｄ）店外でショピングカートが他の客の通行を妨害することがなく、
（Ｅ）ポリ袋を買う必要がないから経済的であり、
（Ｆ）ポリ袋が不要であるから新たなゴミ発生の原因がなくなる。【００４２】  更に、前記第２の課題に対して以下の効果を生ずる。つまり、
（Ｇ）２輪車であるためショッピングカート自体が小型でしかも軽くなり、
（Ｈ）店内の折れ曲がった狭い通路内を移動する場合でも急旋回が容易であり、
（Ｉ）そのため動きが軽快で買い物を短時間で済ます事が出来る様になり、
（Ｊ）比較的若い年代の買い物客にとって使い易いものとなる。【００４３】  そして、買い物中（精算前）に運搬する時は購入する品物をフレーム手段の他方側に乗せ、買い物後（精算後）に運搬する時は買った品物をフレーム手段の一方側に乗せる替える構成である。従って、フレーム手段１の両側（一方の側と他方の側）をうまく使い分ける構造であるから小型で軽量になる。そのため、安価で使い易いショッピングカートを提供することが可能となった。
【発明を実施するための最良の形態】
【００４４】  以下、本発明の実施の形態を図１〜図８に基づいて説明する
図１は本発明の実施形態を示す買い物中のショッピングカート４を示す側面図であり、二点鎖線で示すカゴ５の位置でカゴが支持手段６の上に載置された状態になっている。フレーム手段１の一方の側、つまり図１の左側には、布、紐、樹脂、金属などを用いた袋で作った収納手段３を設ける。収納手段３の背面には固定ベルト３ａ、３ｂが付設されていて、固定ベルト３ａ、３ｂをフレーム手段１に巻き付ける事で収納手段３を固定し、最上部には開閉自在な蓋部３ｃがある。【００４５】  ここで請求項６に関して述べると、収納手段３は透明若しくは半透明な袋で構成される。透明な袋としては一般にビニールやポリエチレン等の樹脂（プラスチック）を用いる。半透明な袋としては例えば淡い色彩が付いているもの、薄い無彩色のもの、メッシュ構造、或いはネット構造であって網目の形態を呈するものを含む。【００４６】  次に、フレーム手段１の他方の側、つまり図の右側には、その上部にカゴ５を載置して支持することが可能な支持手段６を設ける。支持手段６は図１に示すようにカゴ５の支持が可能な支持位置（略水平な状態）と、図３及び図４に示すようにカゴ５の支持が不可能な不支持位置（略垂直な状態）とに設定することができる。【００４７】  フレーム手段１の他方の側（図の右側）の下部には、互いに異なる位置、つまり図１に示した状態と図４に示した状態とに移動が可能なスタンド手段７を設けた。【００４８】  図１において符号１１はフレーム手段１の下部に固定したブラケット部材である。このブラケット部材１１は図２に示したブラケット部材１１ａと共に前記一方の側（図１の左側）で略Ｕ字形状のパイプ材若しくは棒材を用いた載置フレーム１３を固定している。そして、載置フレーム１３の上部には収納手段３の底面を載置する。【００４９】  更に、このブラケット部材１１は図２に示したブラケット部材１１ａと共に前記他方の側（図１の右側）で略Ｕ字形状のパイプ材若しくは棒材を用いたスタンドフレーム１４の左端部付近を軸部１２，１２ａで揺動自在に両持ち機構で軸支している。更に、スタンドフレーム１４はスタンド手段７の上端部付近を軸部１７で揺動自在に軸支しており、不図示であるが軸部１７の向かい側も同様に軸支する両持ち機構である。【００５０】  符号１５はスタンドリンク部材であって、図の右端部近傍がスタンド手段７に軸部１６で揺動自在に軸支され、図の左端部近傍が車軸２９で揺動自在に軸支されている。この状態は図２及び図３を見ると理解し易く、車軸２９とスタンドリンク部材１５ａと軸部１６ａとの位置関係も理解することが出来る。【００５１】  従って、スタンドフレーム１４を軸部１２、１２ａを中心として反時計回りに回動させることで、スタンドフレーム１４と、スタンド手段７と、スタンドリンク部材１５が図４に示した位置に移動して、折り畳まれた状態になる。【００５２】  図１で符号６は支持手段であって、図の左端部近傍がフレーム手段１に軸部２３で揺動自在に軸支されており、支持手段６の平面は、図３及び図７に示す形状となる。【００５３】  図１で符号１９は支持リンク部材（側面）であって、図の左端部がフレーム手段１に軸部２０で揺動自在に軸支されており、支持リンク部材１９の平面は図３に表わしている。支持リンク部材１９の右端部近傍には軸部２２が回動自在に貫通しており、支持部材６の右端部近傍を図１の下側から支えている。従って支持部材６の上に載置されるカゴ５は、図１で示す位置（支持位置）で安定良く支持される。【００５４】  符号１０は可変支持部材（側面）であって、凸状の突起部材９が設けられており、可変支持部材１０の平面は図３、図７に表わしている。そして突起部材９はカゴ５の底面５ａにある孔部５ｂを貫通しているので、支持手段６が多少傾斜した場合でも、カゴ５が支持手段６から滑り落ちることはない。【００５５】  次にカゴ５を図１から除去した後に、支持手段６を軸部２３を中心として反時計回りに回動させることで、支持手段６と、支持リンク部材１９が図４に示した位置に移動して、折り畳まれる。【００５６】  この折り畳み動作を説明すると、図４で示すように支持手段６と支持リンク部材１９との間には軸部３３，２２を介してリンク３４が揺動自在に軸支されており、図１では可変支持部材１０の向う側に隠れている。従って図１で支持手段６の右端部を引き上げると、リンク３４（図４参照）を介して支持リンク部材１９も一緒に引き上げられる事となり、図４に示した位置に移動して折り畳まれる。【００５７】  符号８は連動手段であり、この連動手段８は支持リンク部材１９とスタンドフレーム１４との間で、軸部２１，１８を介して図の上下方向へ移動自在に軸支されている。なお説明を分かり易くするために軸部１８を設けているが、機構を簡素化する目的で軸部１８を軸部１７の位置に設けて共通化を図っても良い。【００５８】  従って図１で支持手段６の右端部を引き上げると、支持リンク部材１９の動きに従動して連動手段８とスタンドフレーム１４も一緒に引き上げられる事となる。なお、連動手段８は必要に応じて選択的に用いてよい。（請求項１と請求項２の関係）【００５９】  図１で符号２４は係止バーあり、係止バー端部２４ａを回転中心としてフレーム手段１で揺動可能に軸支している。そして、図３で示すように係止バー２４を支持パイプ３１に当接させて、図４で示す位置（不支持位置）に支持手段６を係止することができる。【００６０】  図１ではショッピングカート４が停止状態にあるが、ショッピングカート４を図１の左方向に牽引して移動させる場合には握り部材１ｂを握って二点鎖線２８のように傾斜させながら移動する。この移動状態では、カゴ５がフレーム手段１と支持手段６で形成される略Ｖ字形状内に収まる形になるから、カゴ５の中に重量が重い商品を入れたとしても、落下することなく安定良く支持することが出来る。（請求項１記載の第１の牽引モード、及び請求項５記載の第１モードである）。【００６１】  図２はショッピングカート４でフレーム手段１の一部を示す部分的な外観斜視図であり、具体的には、図１において二点鎖線２６で示す範囲内を図の左手前側から見た図であって、フレーム手段１の下部とその周辺部分を含む図である。【００６２】  図２において符号２９は車軸であり、この車軸２９はフレーム手段１の下端部近傍を両側でそれぞれ貫通しており、車軸２９の左側では車輪２ａを回転自在に軸支すると共に、車軸２９の右側では車輪２を回転自在に軸支している。また、車軸２９とスタンド手段７に設けた軸部１６との間では、スタンドリンク部材１５，１５ａを揺動自在に軸支している。これらの状態は図３にも図示している。【００６３】  図３はショッピングカートを図１の収納手段３側から見た正面図であり、具体的には、図１において収納手段３及び載置フレーム１３を除去した後に矢印２７の方向に向いて見た正面図である。【００６４】  図３において二点鎖線３０より下側に示す図はショッピングカート４が図１の状態であり、二点鎖線３０より上側に示す図はショッピングカート４が図４の状態であるが、説明の都合で図１と図４の状態を合成して示している。図３では、図１及び図４で表わす事の出来なかった部材が、左右対称な図の左側に現われている。【００６５】  図３において支持手段６，６ａの下端部近傍は、それぞれ軸部２３，２３ａを介しフレーム部材１に揺動自在に軸支されており、支持手段６，６ａの上端部近傍では支持パイプ３１を固定しており、支持手段６，６ａの中央部付近では支持パイプ３２を固定している。【００６６】  支持パイプ３１，３２の右側は支持手段６を貫通しており、コ字形状の可変支持部材１０の開端（左側）は支持パイプ３１，３２の中に挿入されている。同様にして、支持パイプ３１，３２の左側は支持手段６ａを貫通しており、逆コ字形状の可変支持部材１０ａの開端（右側）は支持パイプ３１，３２の中に挿入されている。【００６７】  そして、図３では可変支持部材１０，１０ａを最も縮めた状態で配置している。可変支持部材１０のほぼ中央部には図の手前側に突出した突起部材９を設け、同様に可変支持部材１０ａのほぼ中央部には図の手前側に突出した突起部材９ａを設けている。この突起部材９，９ａは図１に示す状態でカゴ５の底面５ａに設けた孔部５ｂを貫通してカゴ５の滑り落ちを防止する。【００６８】  図４では、図１に示した可変支持部材１０と突起部材９を取り外して図示している。これは、図４で軸部３３とリンク３４を説明する必要があったため、説明の都合上、除去して示したものである。【００６９】  図４ではショッピングカート４が停止状態にあるが、ショッピングカート４を図４の右方向に牽引して移動させる場合には握り部材１ｂを握って二点鎖線２８ａのように傾斜させながら移動する。この場合スタンド手段７は、地面２５より上方の図示した位置に折り畳まれているので、図の右方向へ移動することが可能となっている。【００７０】  一方、支持手段６の上端部近傍は係止バー２４で係止されているから、フレーム手段１が傾斜しても、リンク３４、支持リンク部材１９、連動手段８、スタンドフレーム１４、スタンド手段７等が図４の状態で保持される。この移動状態では収納手段３がフレーム手段１と載置フレーム１３で形成される略Ｖ字形状内に収まる形になるから、収納手段３の中に重量が重い品物を入れたとしても安定良く支持することが出来る。（請求項１記載の第２の牽引モード、及び請求項５記載の第２モードである）。【００７１】  図５はショッピングカートで使用するカゴの平面図であり、カゴ５は買い物をする店内でのみ使用に供されるものであって、通常は店の外に持ち出さない。カゴ５の底面５ａには孔部５ｂ，５ｃ，５ｄ，５ｅをはじめ、底面５ａを貫通する多数の孔部が形成されている。【００７２】    図６はショッピングカートに用いる支持手段の第一実施例を示す平面図である。（但し、対応する請求項なし）【００７３】  図６において支持手段６ｂは、前述の可変支持部材１０が存在しない形態の支持手段であると考えて良い。つまり、図１，図３，図４で説明した支持手段６，６ａ、支持パイプ３１，３２、可変支持部材１０，１０ａ、突起部材９，９ａを除去した後に、これらに代わる部材として置き換えて使用することができる。【００７４】  図６の支持手段６ｂには突起部材９ｂ，９ｃが図の手前方向に突出して設けてあり，図５に示したカゴ５の孔部５ｄを突起部材９ｂが貫通すると共に、カゴ５の孔部５ｅを突起部材９ｃが貫通している。なお、場合によって突起部材９ｂ，９ｃは何れか一方のみを選択的に使用しても良く、或いは使用しなくても良い。（但し、対応する請求項なし）。【００７５】    図７はショッピングカートに用いる支持手段の第二実施例を示す平面図である。（請求項３及び請求項４参照）。【００７６】  図７に示す支持手段６，６ａについては、図１，図３，図４で既に説明しているが、図７では可変支持部材１０ａ，１０を図の左右方向に引き離しているため、可変支持部材１０，１０ａはカゴ５を支持するための面積を増加するように変化している。具体的には支持手段６ａより左側で可変支持部材１０ａが引き出された面積と、支持手段６より右側で可変支持部材１０が引き出された面積との和の面積だけ増加して、カゴ５を安定支持することになる。図１では図の手前側とその反対側に伸びてカゴ５の支持面積が増加し、カゴ５を安定支持することになる。【００７７】  図７に示す可変支持部材１０，１０ａには突起部材９，９ａが図の手前方向に突出して設けてあり，図５に示したカゴ５の孔部５ｂを突起部材９が貫通すると共に、カゴ５の孔部５ｃを突起部材９ａが貫通している。そして可変支持部材１０，１０ａは、突起部材９，９ａを図５の左右方向で任意の位置に移動させることが出来るから、図５でカゴ５の孔部５ｂ，５ｃの間隔に合わせて調節をすることが出来る。従って、店舖毎に異なる形態の、種種な大きさのカゴのそれぞれに対応することが出来る。（請求項３、及び請求項４参照）【００７８】  次に、前述した他の実施形態を説明する。  図７に示す可変支持部材１０，１０ａには突起部材９，９ａを取り付けているが、取り付け位置は図示した位置に限定されるものではなくて、可変支持部材１０，１０ａのどの位置でも良い。例えば、支持パイプ３２に二点鎖線３２ａ、３２ｂで示した長穴を設け、不図示の突起部材をこの長穴から突出させても良い。その場合は、可変支持部材１０，１０ａが左右方向に抜けてしまうことがなく、突起部材が抜け止めのストッパになって一石二鳥の役目を果たす。【００７９】  図８は店内における買い物カゴの動きを説明する平面図である。図１〜図７で説明した本発明に係るショッピングカート４を使い、図８に示した店内３５で買い物をする事を想定する。【００８０】  本発明に係るショッピングカートを多くの買い物客が使用すれば、店外の出入口付近にショッピングカート３８，３８ａ，３８ｂ，３８ｃなどが置かれる事がなくなり、従って他の買い物客の通行を邪魔することがない。【００８１】  また、店内３５で買い物をしている間、本発明に係るの持ち主は自分のショッピングカートが盗まれるのではないかと心配することもなく、安心して買い物に専念することができる。【００８２】  まず出入口３５ａから店内３５に入るが、この時、ショピングカート４を図４の状態から図１の状態にする。次に、図８の店内３５で買い物商品の精算を行う場合を想定すると、ショッピングカート４に載置されたカゴをカゴ位置５１からカゴ位置５２に移し、カウンタ３６で精算を行う。ここで、買った品物を自宅まで持ち帰るためのポリ袋が必要かどうかをレジスタ係の店員に尋ねられるが、お金を払って前述したポリ袋を買う必要がない。【００８３】  精算後はカゴを包装台３７の上に置き、買った品物をカゴ位置５３で取り出して、図１に示したショッピングカート４の収納手段３で蓋部３ｃを開いてその中に入れ替える。そして、空になったカゴはカゴ位置５４に戻す。その後、ショッピングカート４は図１の状態から図４の状態に折り畳み、しかる後にショッピングカート４を二点鎖線２８ａのように傾けて自宅まで牽引走行させることになる。
【図面の簡単な説明】
【００８４】
【図１】本発明の実施形態を示す買い物中のショッピングカートを示す側面図
【図２】同ショッピングカートでフレーム手段の一部を示す部分的な外観斜視図
【図３】同ショッピングカートを収納手段側から見た正面図
【図４】同ショッピングカートの買い物後の状態における側面図
【図５】同ショッピングカートで使用するカゴの平面図
【図６】同ショッピングカートで支持手段の第一実施例を示す要部の平面図
【図７】同ショッピングカートで支持手段の第二実施例を示す要部の平面図
【図８】店内における買い物カゴの動きを説明する平面図
【図９】従来のショッピングカートを示す側面図
【符号の説明】
【００８５】１：フレーム手段
１ａ：取っ手部
２：車輪
２ａ：車輪
３：収納手段
４：ショッピングカート
５：カゴ
６：支持手段
７：スタンド手段
８：連動手段
９：突起部材
１０：可変支持部材
【要約】
【課題】  従来のショッピングカートは、店内における買い物中に利用する事ができ難かったり、或いは買い物中の利用が出来る物ではカート自体が重く、移動速度が遅いなどの理由で使い勝手が良くないという問題があった。
【解決手段】  取っ手部と２個の車輪を設けたフレーム手段の一方の側に収納手段を設けたショッピングカートであって、前記フレーム手段の他方の側の上部にカゴの支持が可能な支持位置とカゴの支持が不可能な不支持位置とに設定できる支持手段を設け、買物中にショッピングカートを牽引走行させる第１モードと、買物後に該ショッピングカートを牽引走行させる第２モードとに関して、前記第１モードでフレーム手段の前記他方の側を略上面として牽引走行させ、前記第２モードで該フレーム手段の前記一方の側を略上面として牽引走行させる構成を採用して課題を解決した。
【選択図】図１【図１】
0003627751.tif 000002
【図２】
0003627751.tif 000003
【図３】
0003627751.tif 000004
【図４】
0003627751.tif 000005
【図５】
0003627751.tif 000006
【図６】
0003627751.tif 000007
【図７】
0003627751.tif 000008
【図８】
0003627751.tif 000009
【図９】
0003627751.tif 000010